(57)【要約】【課題】  交換用の揮散体を専用に格納する場所を要することなく、揮散体の簡単な交換を可能とすることにより、取扱いが簡単で良好な、芳香剤等の使用を得ることを目的とする。【解決手段】  前面に展示窓６を形成し、内部上端部に保持部７を形成した容器体１と、芳香剤等を含浸させた揮散体１６を外袋１９に気密に収納して、前後に扁平に形成され、上端部の組付き部１４に対して、揮散体１６および外袋１９を別々に分離可能に構成した複数のパッケージ１３とから成り、容器体１内に複数のパッケージ１３を、保持部７に組付き部１４により、縦列に並べて吊り下げ保持して構成し、単に外袋１９を分離させるだけで、前側のパッケージ１３から順に使用する。【選択図】図１
2006149856.tif 000002
【特許請求の範囲】
【請求項１】
開放した前面の上端部を垂れ壁（５）で塞いで、残部を展示窓（６）とし、内部の前記垂れ壁（５）が位置する上端部に保持部（７）を形成した箱状の容器体（１）と、高いガスバリヤー性を有する合成樹脂フィルム製の外袋（１９）に、芳香剤、消臭剤さらには防虫剤等を含浸させた揮散体（１６）を密封収納して、前後に扁平に形成され、上端部の組付き部（１４）に対して、前記揮散体（１６）および外袋（１９）を別々に分離可能に構成した複数のパッケージ（１３）と、から成り、前記容器体（１）内の保持部（７）に複数のパッケージ（１３）を組付き部（１４）で、縦列に並べて吊り下げ保持した芳香剤等の額型収納容器。
【請求項２】
容器体（１）を、裏面と前面とを開放し、前面の上端部を垂れ壁（５）で塞いで、残部を展示窓（６）とした長方体状のカバーケース（２）と、該カバーケース（２）の裏面を組付いて塞ぐ、平板状の裏板（８）とから構成した請求項１記載の芳香剤等の額型収納容器。
【請求項３】
保持部（７）を、前後に掛け渡し状に設けた吊り下げ棒で構成し、パッケージ（１３）の組付き部（１４）に、前記吊り下げ棒が挿通する吊り下げ孔（１５）を開設した請求項１または２記載の芳香剤等の額型収納容器。
【請求項４】
裏板（８）に、壁掛け用の掛け孔（１０）もしくは／および、立て置き用の脚片（１１）と支え片（１２）との組合せを、切欠き形成した請求項２または３記載の芳香剤等の額型収納容器。
【請求項５】
組付き部（１４）の下端縁に位置する外袋（１９）部分に、破断し易い肉薄部を形成する破断溝（２１）もしくは、相溶性の低い合成樹脂材料同士の接合面である異材境界面（２２）で構成される破断線（２０）を周設した請求項１、２、３または４記載の芳香剤等の額型収納容器。
【請求項６】
組付き部（１４）の下端縁に位置する揮散体（１６）部分に、ミシン目による分断線（１８）を全幅範囲に亘って設けた請求項１、２、３、４または５記載の芳香剤等の額型収納容器。
【請求項７】
揮散体（１６）の前側面に、絵画等の装飾表示（１７）を施した請求項１、２、３、４、５または６記載の芳香剤等の額型収納容器。
【請求項８】
パッケージ（１３）別に、揮散体（１６）に含浸させた芳香剤を異香種とした請求項１、２、３、４、５、６または７記載の芳香剤等の額型収納容器。
【発明の詳細な説明】
【技術分野】
【０００１】
本発明は、芳香剤、消臭剤さらには防虫剤等を含浸させた複数の揮散体を収納保持する額型容器に関するもので、揮散体を収納したまま順に使用することを可能とした芳香剤等の額型収納容器に関するものである。
【背景技術】
【０００２】
芳香剤、消臭剤さらには防虫剤等（以下、芳香剤等と云う）を含浸させた揮散体である揮散紙を収納する芳香剤等の容器として、無理のない装飾効果を発揮するように、壁掛けされる、または立ち置きされる額型の収納容器が、第一の従来技術として知られている。
【特許文献１】特開平９−２４０９１号公報
【０００３】
この第一の従来技術は、美術品を展示した額に揮散体を内蔵させるので、高いインテリア性を発揮した状態で、芳香剤等を使用できる、と云う利点がある。
【０００４】
また、一つの揮散体である芳香剤を袋に密封収納してパッケージを構成し、異香種の芳香揮発物を揮散体に含浸させた複数のパッケージを連続させものが第二の従来例として知られている。
【特許文献２】特開２０００−６２５１１号公報
【０００５】
この第二の従来技術は、使用する揮散体を簡単に交換補充することができると共に、必要に応じて、香りを異香種に変更できて、手軽に香りを楽しむことができる、と云う利点がある。
【発明の開示】
【発明が解決しようとする課題】
【０００６】
しかしながら、上記した第一の従来技術にあっては、交換用の揮散体を、特定した場所に格納しておかなければならないと共に、揮散体を交換する際には、容器に対する揮散体の出し入れ作業を必要とし、このため交換用の揮散体の取扱いが面倒である、と云う問題があった。
【０００７】
また、第二の従来技術にあっては、交換用の揮散体を手軽に入手することができるのであるが、この交換用の揮散体を格納しておくための専用の場所が必要である、と云う問題があった。
【０００８】
そこで、本発明は、上記した従来技術における問題点を解消すべく創案されたもので、交換用の揮散体を専用に格納する場所を要することなく、揮散体の簡単な交換を可能とすることを技術的課題とし、もって取扱いが簡単で良好な、芳香剤等の使用を得ることを目的とする。
【課題を解決するための手段】
【０００９】
上記技術的課題を解決する本発明の内、請求項１記載の発明の手段は、
開放した前面の上端部を垂れ壁で塞いで、残部を展示窓とし、内部の垂れ壁が位置する上端部に保持部を形成した箱状の容器体を有すること、
高いガスバリヤー性を有する合成樹脂フィルム製の外袋に、芳香剤、消臭剤さらには防虫剤等を含浸させた揮散体を密封収納して、前後に扁平に形成され、上端部の組付き部に対して、揮散体および外袋を別々に分離可能に構成した複数のパッケージを有すること、
容器体内の保持部に複数のパッケージを組付き部で、縦列に並べて吊り下げ保持したこと、
にある。
【００１０】
この請求項１記載の発明にあっては、容器体内に吊り下げ保持された複数のパッケージは、重ね合わせ状に縦列に並べられているので、一番前に位置しているパッケージだけが、展示窓から見えることになる。
【００１１】
それゆえ、この一番前に位置しているパッケージの外袋を組付き部から分離させて、揮散体を露出させることにより、容器体の外部から見えているパッケージだけが、使用状態となり、非使用状態にある他のパッケージは、この使用状態にある一番前に位置しているパッケージに隠れて、見えない状態のまま収納保持されることになる。
【００１２】
次のパッケージを使用するには、まず現在使用しているパッケージの揮散体を組付き部から分離し、この前のパッケージの揮散体の分離により、展示窓に露出した次のパッケージの外袋を組付き部から分離させて、その揮散体を使用状態とする。
【００１３】
このように、容器体内に収納された複数のパッケージは、使用済みの揮散体を分離除去することにより、収納保持された状態のまま、自動的に縦列に並べられた順に使用される状態となり、使用状態とするために、格納場所および容器体に対する出し入れ操作を全く必要としない。
【００１４】
また、容器体に収納されている複数のパッケージは、一番前に位置しているパッケージだけが露出し、他はこの一番前のパッケージにより隠されることになるので、使用状態にあるパッケージと一緒に容器体に収納されている非使用状態のパッケージが、露出により額型収納容器の外観体裁を損なう恐れは全くない。
【００１５】
請求項２記載の発明は、請求項１記載の発明の構成に、容器体を、裏面と前面とを開放し、前面の上端部を垂れ壁で塞いで、残部を展示窓とした長方体状のカバーケースと、このカバーケースの裏面を組付いて塞ぐ、平板状の裏板とから構成した、ことを加えたものである。
【００１６】
この請求項２記載の発明にあっては、容器体の構成をきわめて簡単なものとすることができ、また容器体の主体部分を構成するカバーケースの裏面全域が開放されているので、容器体に対する複数のパッケージの組付け操作が容易となる。
【００１７】
請求項３記載の発明は、請求項１または２記載の発明に、保持部を、前後に掛け渡し状に設けた吊り下げ棒で構成し、パッケージの組付き部に、容器体の保持部である吊り下げ棒が挿通する吊り下げ孔を開設した、ことを加えたものである。
【００１８】
この請求項３記載の発明にあっては、容器体に対するパッケージの組付きを、孔に対する棒の挿通を利用した吊り下げ保持により達成するので、吊り下げ保持の達成と同時に、複数のパッケージの適正な縦列配列を達成することができると共に、強固な保持を得ることができる。
【００１９】
請求項４記載の発明は、請求項２または３記載の発明に、裏板に、壁掛け用の掛け孔もしくは／および、立て置き用の脚片と支え片との組合せを、切欠き形成した、ことを加えたものである。
【００２０】
この請求項４記載の発明にあっては、掛け孔を使用することにより、額型収納容器を壁に掛けて機能させることができ、また脚片と、この脚片を支える支え片との組合せを使用することにより、額型収納容器を平面上に立てて置いて機能させることができ、掛け孔および脚片と支え片との組合せの両方を形成した場合には、壁掛けと立て置きの何れかに切替え機能させることができる。
【００２１】
請求項５記載の発明は、請求項１、２、３または４記載の発明に、パッケージの組付き部の下端縁に位置する外袋部分に、破断し易い肉薄部を形成する破断溝もしくは、相溶性の低い合成樹脂材料同士の接合面である異材境界面で構成される破断線を周設した、ことを加えたものである。
【００２２】
この請求項５記載の発明にあっては、外袋に破断線を形成することにより、組付き部の下端縁に位置する箇所からの外袋の破断除去を無理なく確実に達成することができ、破断線を破断溝で形成する場合には、破断線を容易に形成することができ、破断線を異材境界面で形成する場合には、破断線の破断跡に合成樹脂の細かい糸状のゴミの発生することがなく、揮散体の展示状態がきれいなものとなる。
【００２３】
請求項６記載の発明は、請求項１、２、３、４または５記載の発明に、パッケージの組付き部の下端縁に位置する揮散体部分に、ミシン目による分断線を全幅範囲に亘って設けた、ことを加えたものである。
【００２４】
この請求項６記載の発明にあっては、組付き部よりも下位に位置する使用済みの揮散体部分全体を、分断線に沿って折り曲げる等して、簡単に分断除去することができ、このように組付き部よりも下位に位置する使用済みの揮散体部分全体を除去することにより、次のパッケージの揮散体の使用部分全体が、確実に展示されることになる。
【００２５】
請求項７記載の発明は、請求項１、２、３、４、５または６記載の発明に、揮散体の前側面に、絵画等の装飾表示を施した、ことを加えたものである。
【００２６】
この請求項７記載の発明にあっては、使用中の揮散体の前側面は、容器体の展示窓から露出する部分であるので、この前側面に装飾表示を施すことにより、この装飾表示が展示窓から直接露出表示されることになる。
【００２７】
請求項８記載の発明は、請求項１、２、３、４、５、６または７記載の発明に、パッケージ別に、揮散体に含浸させた芳香剤を異香種とした、ことを加えたものである。
【００２８】
この請求項８記載の発明にあっては、新たな揮散体を使用する度に、異なる香りが揮散されることになる。
【発明の効果】
【００２９】
本発明は、上記した構成となっているので、以下に示す効果を奏する。
請求項１記載の発明にあっては、容器体内に収納された複数のパッケージは、使用済みの揮散体を分離除去することにより、収納保持された状態のまま、自動的に縦列に並べられた順に使用される状態となり、使用状態とするために、格納場所および容器体に対する出し入れ操作を全く必要とせず、その取扱いが簡単で効率の良いものとなる。
【００３０】
また、使用状態にあるパッケージと一緒に容器体に収納されている非使用状態のパッケージが、露出により額型収納容器の外観体裁を損なう恐れは全くなので、インテリア性を損なうことなく、複数のパッケージを収納保持することができる。
【００３１】
請求項２記載の発明にあっては、容器体の構成をきわめて簡単なものとすることができ、また容器体に対する複数のパッケージの組付け操作が容易であるので、額型収納容器を安価に得ることができると共に、きわめて簡単な取扱いを得ることができる。
【００３２】
請求項３記載の発明にあっては、複数のパッケージの吊り下げ保持の達成と、適正な縦列配列の達成とを同時に得ることができ、また各パッケージの容器体への強固な保持を得ることができるので、パッケージの組付き部からの外袋および揮散体の分離を安定して安全に達成することができると共に、容器体に対する各パッケージの組付き姿勢を、常に適正に保持することができる。
【００３３】
請求項４記載の発明にあっては、裏板に、掛け孔または／および脚片と支え片との組合せを切欠き形成するだけで、額型収納容器を壁掛け状または立て置き状に使用することができるので、額型収納容器の速やかな使用が可能である。
【００３４】
請求項５記載の発明にあっては、外袋に破断線を形成することにより、組付き部の下端縁に位置する箇所からの外袋の破断除去を無理なく確実に達成することができ、これにより揮散体の使用部分全体を確実に、展示窓に露出させて、芳香剤等の効率の良い揮散動作を得ることができる。
【００３５】
請求項６記載の発明にあっては、組付き部よりも下位に位置する使用済みの揮散体部分全体を、簡単に分断除去し、次のパッケージの揮散体の使用部分全体を、確実に展示窓に位置させることができるので、新たに使用状態となる揮散体を、確実に良好な揮散状態とすることができる。
【００３６】
請求項７記載の発明にあっては、使用中の揮散体の前側面に施された装飾表示は、展示窓から直接展示されるので、容器体が額縁として機能して、この装飾表示が高いインテリア性を発揮する状態で展示されることになり、高い装飾性を発揮することができる。
【００３７】
請求項８記載の発明にあっては、新たな揮散体を使用する度に、異なる香りを楽しむことができ、特に異香種を香りの傾向を統一したもの、例えば花の香り系列に統一することにより、違和感なく香りの変化を楽しむことができる。
【発明を実施するための最良の形態】
【００３８】
以下、本発明の実施形態を、図面を参照しながら説明する。
【００３９】
図１は、本発明による額型収納容器の、容器体１と複数のパッケージ１３とから成る一実施形態例を示す、斜め後方から見た分解斜視図を示すもので、図示都合上、一番後ろのパッケージ１３の外袋１９を分離除去している状態を示しているが、正しくは外袋１９が分離除去されるのは、一番前のパッケージ１３であり、図４の図示状態が正確である。
【００４０】
容器体１は、前面と裏面とを開放し、前面の上端部を垂れ壁５で塞いで、残部を展示窓６とした長方体状のカバーケース２と、このカバーケース２の裏面を組付いて塞ぐ平板状の裏板８とから構成されている。
【００４１】
カバーケース２は、短四角筒状の筒壁３の内周面後端縁に、裏板８嵌合用の周段部４を形成すると共に、垂れ壁５の内面に、前後に延びて保持部７を構成する、一対の吊り下げ棒を設けた構造となっている。
【００４２】
裏板８は、周段部４に嵌合して、カバーケース２の開放された裏面を組付き閉鎖する平板状をしており、壁掛け用の掛け孔１０および立て置き用の脚片１１と支え片１２との組合せ、さらには保持部７を構成する一対の吊り下げ棒の後端部を嵌合支持する嵌合孔９とを、切欠き形成している。
【００４３】
裏板８の嵌合孔９は、保持部７を構成する一対の吊り下げ棒の後端部と嵌合組付きすることにより、裏板８のカバーケース２に対する組付きを補強すると共に、吊り下げ棒を両端支持状態とするので、この吊り下げ棒を補強することになる。
【００４４】
パッケージ１３は、高いガスバリヤー性を有する合成樹脂フィルム製の外袋１９に、紙、合成紙、不織布さらには発泡樹脂シート等の基材に芳香剤等の揮散剤を含浸させた揮散体１６を密封収納し、上端部を、容器体１の保持部７を形成する吊り下げ棒を挿通させる吊り下げ孔１５を開設して組付き部１４に形成し、展示窓６から出入り自在な大きさで、前後に扁平な長方形状に構成されている。
【００４５】
パッケージ１３の組付き部１４は、外袋１９の上端部と、その中に位置している揮散体１６の上端部とから構成されていて、この外袋１９の組付き部１４を形成する上端部と主体部との境界部には、気密を保った構成で分離が容易な破断線２０を形成し、また揮散体１６の組付き部１４を形成する上端部と主体部との境界部には、ミシン目等の折り曲げ等により分離が容易である分断線１８を形成している。
【００４６】
なお、パッケージ１３の組付き部１４は、容器体１にパッケージ１３が組付けられた状態で、その略全体を容器体１の保持部７内に位置させ、妄りに展示窓６から外部に露出しないようにしており、また吊り下げ孔１５は、その全体が外袋１９で被われており（図２参照）、このため吊り下げ孔１５によりパッケージ１３の気密が喪失することはない。
【００４７】
図３（ａ）は、外袋１９の破断線２０の第一の構造例を示すもので、破断し易い肉薄部を形成する破断溝２１を全周に亘って周設して構成され、また図３（ｂ）は、外袋１９の破断線２０の第二の構造例を示すもので、外袋１９の主体成形樹脂材料に対して相溶性の低い樹脂材料製の異材質体２３を、全周および全厚み範囲に亘って帯状に設け、この異材質体２３と外袋１９の主体成形樹脂材料製部分との境界面である異材境界面２２を、破断線２０としている。
【００４８】
揮散体１６は、組付き部１４の下位に位置する主体部分の前側面に、高い装飾性を発揮することのできる絵画等の装飾表示１７を、印刷等の手段により設け、この装飾表示１７を容器体１の展示窓６から表示することにより、額型収納容器に高いインテリア性を付与しているのであるが、この装飾表示１７は、揮散体１６に含浸された芳香剤等の香りに合わせて、選択決定されている。
【００４９】
例えば、図４に図示した実施例の場合、揮散体１６に含浸された香りが檜の香りであるので、装飾表示１７を、檜をデザイン表示したものとしている。
【００５０】
また、容器体１に収納された複数のパッケージ１３は、各パッケージ１３の揮散体１６に、異香種ではあるが香りの傾向が同じであるもの、例えば花の香りの異なるものを含浸させ、この香りに合わせて、それぞれの揮散体１６の装飾表示１７を施す。
【００５１】
図４は、掛け孔１０を利用して、額型収納容器を壁に掛けて取付けた状態を示すもので、収納されたパッケージ１３は、容器体１を壁に掛け止めした状態のまま、一番前のパッケージ１３の下端部を、展示窓６から外に引き出し、そのままパッケージ１３の外袋１９を破断線２０で破断して除去し、揮散体１６を展示窓６に露出させて、含浸させた芳香剤等の揮散を良好に行わせると共に、装飾表示１７を充分に表示する。
【００５２】
また、図５は、脚片１１と支え片１２との組合せを利用して、額型収納容器を立て置き状に使用した状態を示すもので、脚片１１を、下端部付近で、先端が載置面に接するまで折り曲げ、これに対して一対の支え片１２を、上端部で折り曲げて、脚片１１を挟み込むように、先端を脚片１１に係止固定する。
【００５３】
両支え片１２の脚片１１に対する係止固定により、脚片１１はつっかい棒状となって、額型収納容器の斜めになった立ち置き姿勢を、安定して保持する。
【図面の簡単な説明】
【００５４】
【図１】本発明の一実施形態例を示す、全体分解斜視した説明図である。
【図２】図１に示した実施形態例の、パッケージの要部拡大断面斜視図である。
【図３】（ａ），（ｂ）図２の、丸印した部分の、異なる構造例を示す拡大断面図である。
【図４】図１に示した実施形態例の、壁掛け使用状態を示す説明斜視図である。
【図５】図１に示した実施形態例の、立て置き使用状態を示す説明斜視図である。
【符号の説明】
【００５５】
１  ；  容器体
２  ；  カバーケース
３  ；  筒壁
４  ；  周段部
５  ；  垂れ壁
６  ；  展示窓
７  ；  保持部
８  ；  裏板
９  ；  嵌合孔
１０；  掛け孔
１１；  脚片
１２；  支え片
１３；  パッケージ
１４；  組付き部
１５；  吊り下げ孔
１６；  揮散体
１７；  装飾表示
１８；  分断線
１９；  外袋
２０；  破断線
２１；  破断溝
２２；  異材境界面
２３；  異材質体
【図１】
2006149856.tif 000003
【図２】
2006149856.tif 000004
【図３】
2006149856.tif 000005
【図４】
2006149856.tif 000006
【図５】
2006149856.tif 000007